Podtech/llm-jp-corpus-v4-ja_patent huggingface dataset:
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
被写体に対して異なる波長帯域を有する光を照射する光源装置と、
前記被写体を照射した光の波長帯域ごとに、又は被写体からの蛍光波長帯域の光を撮像する撮像装置を備えた内視鏡と、
前記撮像装置から出力される撮像信号を波長帯域ごとに増幅する増幅手段と、
前記撮像装置の露光時間を前記波長帯域ごとに設定する露光時間設定手段と、
前記露光時間設定手段によって設定された露光時間により前記撮像装置が撮像した被写体に応じた信号に基づいて、前記増幅手段の増幅率を前記波長帯域ごとに設定する増幅率設定手段と、
を備えたことを特徴とする電子内視鏡装置。
【請求項２】
前記増幅手段により増幅された信号に応じた映像をカラー表示する為の表示装置と、
この表示装置に表示される映像の色のバランス調整を指示するカラーバランス設定指示手段と、
を更に備え、
前記露光時間設定手段は、前記カラーバランス設定指示手段の指示に基づいて前記撮像装置が出力した映像信号を基に前記波長帯域ごとの露光時間を設定することを特徴とする請求項１に記載の電子内視鏡装置。
【請求項３】
前記光源装置は離散的な分光分布を有する波長帯域の照明光を被写体に対して供給することを特徴とする請求項１または２に記載の電子内視鏡装置。
【請求項４】
撮像装置を備えた内視鏡から出力される被写体に応じた撮像信号を処理する信号処理装置であって、
前記撮像装置が、前記被写体からの異なる波長帯域を有する光の波長帯域ごとに撮像した信号を、波長帯域ごとに増幅する増幅手段と、
前記撮像装置の露光時間を前記波長帯域ごとに設定する露光時間設定手段と、
前記露光時間設定手段によって設定された露光時間により前記撮像装置が撮像した被写体に応じた信号に基づいて、前記増幅手段の増幅率を前記波長帯域ごとに設定する増幅率設定手段と、
を備えたことを特徴とする信号処理装置。
【請求項５】
前記露光時間設定手段は、表示装置に表示される映像の色のバランスを指示するカラーバランス設定指示に基づいて前記撮像装置が出力した映像信号を基に前記波長帯域ごとに露光時間を設定することを特徴とする請求項４に記載の信号処理装置。
【請求項６】
前記異なる波長帯域を有する光の波長帯域は、被写体からの蛍光波長帯域の光を含むことを特徴とする請求項４に記載の信号処理装置。
【手続補正２】
【補正対象書類名】明細書
【補正対象項目名】００２１
【補正方法】変更
【補正の内容】
【００２１】
【課題を解決するための手段】
前記目的を達成するため請求項１に記載の電子内視鏡装置は、被写体に対して異なる波長帯域を有する光を照射する光源装置と、前記被写体を照射した光の波長帯域ごとに、又は被写体からの蛍光波長帯域の光を撮像する撮像装置を備えた内視鏡と、前記撮像装置から出力される撮像信号を波長帯域ごとに増幅する増幅手段と、前記撮像装置の露光時間を前記波長帯域ごとに設定する露光時間設定手段と、前記露光時間設定手段によって設定された露光時間により前記撮像装置が撮像した被写体に応じた信号に基づいて、前記増幅手段の増幅率を前記波長帯域ごとに設定する増幅率設定手段と、を備えたことを特徴とする。
【手続補正３】
【補正対象書類名】明細書
【補正対象項目名】００２３
【補正方法】変更
【補正の内容】
【００２３】
請求項３に記載の内視鏡装置は、請求項１または２に記載の電子内視鏡装置であって、前記光源装置は離散的な分光分布を有する波長帯域の照明光を被写体に対して供給することを特徴とする。
【手続補正４】
【補正対象書類名】明細書
【補正対象項目名】００２４
【補正方法】変更
【補正の内容】
【００２４】
請求項４に記載の信号処理装置は、撮像装置を備えた内視鏡から出力される被写体に応じた撮像信号を処理する信号処理装置であって、前記撮像装置が、前記被写体からの異なる波長帯域を有する光の波長帯域ごとに撮像した信号を、波長帯域ごとに増幅する増幅手段と、前記撮像装置の露光時間を前記波長帯域ごとに設定する露光時間設定手段と、前記露光時間設定手段によって設定された露光時間により前記撮像装置が撮像した被写体に応じた信号に基づいて、前記増幅手段の増幅率を前記波長帯域ごとに設定する増幅率設定手段と、を備えたことを特徴とする。
【手続補正５】
【補正対象書類名】明細書
【補正対象項目名】００２５
【補正方法】変更
【補正の内容】
【００２５】
請求項５に記載の内視鏡装置は、請求項４に記載の信号処理装置であって前記露光時間設定手段は、表示装置に表示される映像の色のバランスを指示するカラーバランス設定指示に基づいて前記撮像装置が出力した映像信号を基に前記波長帯域ごとに露光時間を設定することを特徴とする。
【手続補正６】
【補正対象書類名】明細書
【補正対象項目名】００２６
【補正方法】変更
【補正の内容】
【００２６】
請求項６に記載の内視鏡装置は、請求項４に記載の信号処理装置であって、前記異なる波長帯域を有する光の波長帯域は、被写体からの蛍光波長帯域の光を含むことを特徴とする。
【手続補正書】
【提出日】平成16年9月22日(2004.9.22)
【手続補正１】
【補正対象書類名】明細書
【補正対象項目名】０００５
【補正方法】変更
【補正の内容】
【０００５】
またＨＤＤ４５に記録されているデータを外部へ出力する場合には、先ずデータ管理部３４Ｂが自己に割り当てられたタイムスロットの期間において、記録再生部３３へアクセスしてデータの再生を要求する。記録再生部３３は、かかる要求を受けてビデオ用ディスクコントローラ４７がＨＤＤ４５に記録されているデータ並びにパリティデータを読み出して、エラー訂正を施し、ＡＶデータを再生する。この再生されたＡＶデータは、バッファメモリ４９へ一時的に記憶された後、読み出されて内部バス３０を介してデータ管理部３４へ転送される。
【手続補正２】
【補正対象書類名】明細書
【補正対象項目名】０００６
【補正方法】変更
【補正の内容】
【０００６】
この転送されたＡＶデータは、データ管理部３４Ｂにおけるバッファメモリ６７を経てデータ入出力部３７Ｂ内のデコータ６３によって伸長され、スイッチ６５を経て端子６１Ｂより外部へ出力される。
【手続補正３】
【補正対象書類名】明細書
【補正対象項目名】００２５
【補正方法】変更
【補正の内容】
【００２５】
データ管理部１３Ａは、エンコーダ１７Ａの出力端と内部バス１０との間に介挿されたバッファメモリを有している。データ管理部１３Ｂは、デコーダ１７Ｂの入力端と内部バス１０との間に介挿されたバッファメモリを有している。データ管理部１３Ａは、制御部１１からのコマンドに応じて端子２５Ａから供給されたＡＶデータを一時的に格納し、或いはこれを入出力端１４へ転送する。入出力端１４へ転送されたＡＶデータは、ストレージ装置２へ供給されることになる。データ管理部１３Ｂは、制御部１１からのコマンドに応じて、ストレージ装置２から入出力端１４を介して供給されるＡＶデータを一時的に格納し、或いはこれをデコーダ１７Ｂへ出力する。
【手続補正４】
【補正対象書類名】明細書
【補正対象項目名】００５４
【補正方法】変更
【補正の内容】
【００５４】
各入出力装置３ｄは、ストレージ装置２に記録されているＡＶデータを再生する場合には、先ず記録情報管理部８７へアクセスする。そして、その再生を望むＡＶデータに関する記録情報を取得する。そして各入出力装置３ｄは、この記録情報に基づきストレージ装置２に記録されているＡＶデータを再生する。
【手続補正５】
【補正対象書類名】図面
【補正対象項目名】図２
【補正方法】変更
【補正の内容】
【図２】
2005006220.tif 000001
【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  メタ情報提供装置から提出されたメタ情報が情報受信装置によって選択されることにより，前記情報受信装置に前記コンテンツを提供する情報提供装置において：
前記コンテンツに付加される１又は２以上のメタ情報を参照するためのメタ情報参照ＩＤを，前記情報受信装置に送信する識別情報送信部を備えることを特徴とする，情報提供装置。
【請求項２】  メタ情報提供装置がコンテンツに関連するメタ情報を提供することにより，情報提供装置からコンテンツを受信する情報受信装置において：
前記情報提供装置から送信される前記メタ情報を識別するためのメタ情報参照ＩＤを受信する識別情報受信部と，
前記メタ情報を取得する対象が設定された取得対象情報を獲得する取得情報獲得部と，
前記メタ情報参照ＩＤまたは前記取得対象情報のうち少なくとも一方に基づき，目的とするメタ情報を取得するための取得指示情報を生成する取得指示部とを備えることを特徴とする，情報受信装置。
【請求項３】  前記取得対象情報には，少なくとも前記メタ情報のインデックスが含まれることを特徴とする，請求項２に記載の情報受信装置。
【請求項４】  前記インデックスは，前記メタ情報の属性を含むことを特徴とする，３に記載の情報受信装置。
【請求項５】  前記取得情報獲得部は，複数のメタ情報からなるグループ化されたグループメタ情報が取得の対象である取得対象情報を獲得することを特徴とする，請求項２に記載の情報受信装置。
【請求項６】  前記グループメタ情報に構成されるメタ情報の属性またはインデックスは，略同一であることを特徴とする，請求項５に記載の情報受信装置。
【請求項７】  前記情報受信装置は，前記メタ情報が更新する可能性を判定する可能性判定部と，
前記可能性判定部の判定結果に応じて，前記メタ情報提供装置に，前記メタ情報を要求するためのメタ情報要求情報を生成する更新メタ情報要求部とをさらに備えることを特徴とする，請求項２に記載の情報受信装置。
【請求項８】  前記可能性判定部は，前記メタ情報に含まれる更新の可能性の有無を示す更新判定情報に基づき，前記メタ情報の更新の可能性を判定することを特徴とする，請求項２に記載の情報受信装置。
【請求項９】  前記メタ情報要求情報には，少なくともメタ情報のバージョン情報が含まれることを特徴とする，請求項７に記載の情報受信装置。
【請求項１０】  情報提供装置が提供するコンテンツに関連するメタ情報を，情報受信装置に提供するメタ情報提供装置において：
前記情報受信装置から送信された目的とするメタ情報を取得するための取得指示情報を参照し，前記取得指示情報に指示されたメタ情報だけを抽出するメタ情報抽出部を備えていることを特徴とする，メタ情報提供装置。
【請求項１１】  前記メタ情報抽出部は，前記取得指示情報を参照し，前記メタ情報参照ＩＤに紐付けられるメタ情報のうち，前記取得指示情報に指示されたメタ情報だけを抽出することを特徴とする，請求項１０に記載のメタ情報提供装置。
【請求項１２】  前記取得指示情報には，少なくとも前記メタ情報参照ＩＤまたはメタ情報のインデックスが含まれることを特徴とする，請求項１０に記載のメタ情報提供装置。
【請求項１３】  前記インデックスは，前記メタ情報の属性を含むことを特徴とする，請求項１２に記載のメタ情報提供装置。
【請求項１４】  前記取得指示情報には，複数のメタ情報からなるグループ化されたグループメタ情報が取得の対象として含まれることを特徴とする，請求項１０に記載のメタ情報提供装置。
【請求項１５】  前記グループメタ情報に構成されるメタ情報の属性またはインデックスは，略同一であることを特徴とする，請求項１４に記載のメタ情報提供装置。
【請求項１６】  前記メタ情報提供装置は，前記情報受信装置から送信される更新の可能性のある前記メタ情報を要求するためのメタ情報要求情報に基づき，メタ情報を検索するメタ情報検索部をさらに備えることを特徴とする，請求項１０に記載のメタ情報提供装置。
【請求項１７】  前記メタ情報要求情報には，少なくともメタ情報のバージョン情報が含まれることを特徴とする，請求項１６に記載のメタ情報提供装置。
【請求項１８】  前記メタ情報検索部は，前記バージョン情報が最新であるメタ情報を検索することを特徴とする，請求項１６に記載のメタ情報提供装置。
【請求項１９】  前記メタ情報検索部は，前記メタ情報要求情報に含まれるメタ情報のバージョン情報と，前記検索により探し出したメタ情報のバージョン情報との比較の結果，前記検索されたメタ情報のバージョン情報の方が大きい場合，前記検索されたメタ情報が更新したと判断することを特徴とする，請求項１７に記載のメタ情報提供装置。
【請求項２０】  前記メタ情報抽出部は，前記検索されたメタ情報が更新した場合，前記メタ情報要求情報に指示されたメタ情報だけを抽出することを特徴とする，請求項１０に記載のメタ情報提供装置。
【請求項２１】  前記メタ情報抽出部は，前記メタ情報要求情報を参照し，前記メタ情報参照ＩＤに紐付けられるメタ情報のうち，前記メタ情報要求情報に指示されたメタ情報だけを抽出することを特徴とする，請求項２０に記載のメタ情報提供装置。
【請求項２２】  メタ情報提供装置がコンテンツに関連するメタ情報を提供することにより，情報提供装置が保有するコンテンツにアクセスする情報アクセス方法であって：
前記コンテンツに付加される１又は２以上のメタ情報を参照するためのメタ情報参照ＩＤを送信する工程と，
前記送信されたメタ情報参照ＩＤを受信する工程と，
前記１又は２以上のメタ情報のうち，メタ情報を取得する対象が設定された取得対象情報を獲得する工程と，
前記メタ情報参照ＩＤまたは前記取得対象情報のうち少なくとも一方に基づき，目的のメタ情報を取得するための取得指示情報を生成する工程と，
前記メタ情報提供装置が前記取得指示情報を参照し，前記１又は２以上のメタ情報のうち前記取得指示情報に指示されたメタ情報の部分だけを抽出する工程とを含んでいることを特徴とする，情報アクセス方法。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
多数個のモノブロック式電池がシリーズまたはパラレルに接続された組電池用の検出装置であって、各電池の蓋上または電槽壁に少なくとも１つの温度検出センサーを装着し、この温度検出センサーによる検出温度が、あらかじめ設定した値以上、または全検出温度の平均値と比較してあらかじめ設定した値以上に達した場合に、異常警報を出すことを特徴とする劣化電池検出装置。
【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
複数の単電池が電気的に接続されてなる組電池の温度を測定する温度センサーの取り付け構造であって、所定の単電池の温度を測定するための温度センサーが組電池の設置される設置部材に取り付けられ、該設置部材上に組電池が設置されることにより、上記所定組電池の温度測定が可能となるようにされていることを特徴とする組電池のための温度センサー取り付け構造。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
結像装置（１０）中のメモリ（４０）を解放する方法であって、
（ａ）１ページの画像データから第１レース条件しきい値（１１０）がバンドに適合していることを示す標示を検出するステップと、
（ｂ）前記バンドを事前ラスタ化して事前ラスタ化したバンドを形成するステップ（１２０）と、
（ｃ） 第２レース条件しきい値（１２５）が前記事前ラスタ化したバンドに適合していないことを示す標示を検出するステップと、
（ｄ）前記第２レース条件しきい値が適合していない場合、前記事前ラスタ化したバンドに作用し、前記事前ラスタ化したバンドに関する表示リストに関して、前記結像装置のメモリ節約（１８０、１８５、１９０、１９５、１３５）をするステップと
からなる方法。
【請求項２】
適合する前記第１レース条件しきい値（１１０）は、前記バンドをビデオ画像処理するラスタ化に要する推定時間に基づいて、前記バンドをパント回避のために事前ラスタ化しておく必要があることを示し、適合していない前記第２レース条件しきい値（１２５）は、前記バンドを事前ラスタ化する際に検出された実際のビデオ画像処理時間に基づいて、前記バンドをパント回避のために事前ラスタ化しておく必要がないことを示す、請求項１に記載の方法。
【請求項３】
前記事前ラスタ化したバンドに作用するステップは、前記事前ラスタ化したバンドのメモリ消費量が、表示リストのメモリ消費量未満であることに関してしきい値（１８０）に適合するかどうか検出するステップと、適合する場合、前記事前ラスタ化したバンドを保持するステップと、メモリから前記表示リストを解放するステップ（１３５）と、適合しない場合、前記表示リストを保持するステップ（１９５）と、メモリから前記事前ラスタ化したバンドを解放するステップ（１３７）とを含む、請求項１または請求項２に記載の方法。
【請求項４】
前記事前ラスタ化したバンドに作用するステップは、前記事前ラスタ化したバンドの推定圧縮（１８０）が、前記表示リストのメモリ消費量未満であることに関してメモリ節約しきい値に適合するかどうか検出するステップと、適合する場合、前記事前ラスタ化したバンドを圧縮するステップ（１８５） と、適合しない場合、前記表示リストを保持するステップ（１９５）と、メモリから前記事前ラスタ化したバンドを解放するステップ（１３７）とを含む、請求項１〜３のうちのいずれか一項に記載の方法。
【請求項５】
前記事前ラスタ化したバンドに作用するステップは、圧縮したバンドを形成するために前記事前ラスタ化したバンドを圧縮するステップ（１８５）と、前記圧縮したバンドが前記表示リストのメモリ消費量未満であることに関してメモリ節約しきい値に適合するかどうか検出するステップ（１９０）と、適合する場合、前記圧縮したバンドを保持するステップと、メモリから前記表示リストを解放するステップ（１３５）と、適合しない場合、前記表示リストを保持するステップ（１９５）と、メモリから前記圧縮したバンドを解放するステップ（１３７）とを含む、請求項１〜４のうちのいずれか一項に記載の方法。
【請求項６】
前記第１レース条件しきい値が適合していることを示す標示を検出するステップに対する二者択一の選択として、潜在的メモリ節約条件しきい値が前記バンドに関連する前記表示リストに関して前記結像装置に適合していることを示す前記バンドに関連した標示を検出するステップ（１６２）をさらに含み、いずれかのしきい値が適合している場合に、ステップ（ｂ）の事前ラスタ化するステップ（１２０）に続く、請求項１〜６のうちのいずれか一項に記載の方法。
【請求項７】
（ａ）第１レース条件しきい値（１１０）がバンドに適合していることを示す標示を、１ページの画像データから検出する手段（７０） と、
（ｂ）前記バンドを事前ラスタ化して（１２０）、事前ラスタ化したバンドを形成する手段（７０）と、
（ｃ）第２レース条件しきい値（１２５）が前記事前ラスタ化したバンドに適合していないことを示す標示を検出する手段（７０）と、
（ｄ）前記第２レース条件しきい値が適合していない場合、前記事前ラスタ化したバンドに関連した表示リストに関して、前記結像装置にメモリ節約（１８０、１８５、１９０、１９５、１３５）を実現するために、前記事前ラスタ化したバンドに作用する手段（７０）と
からなる結像装置（１０）。
【請求項８】
適合する第１レース条件しきい値（１１０）は、ビデオ画像処理のために前記バンドをラスタ化する推定時間に基づいて、パント回避のためにバンドを事前ラスタ化する必要を示すこと、ならびに適合していない第２レース条件しきい値（１２５）は、前記バンドを事前ラスタ化した際に検出される実際のビデオ画像処理時間に基づいて、パント回避のために前記バンドを事前ラスタ化する必要がないことを示す、請求項７に記載の結像装置。
【請求項９】
前記事前ラスタ化したバンドに作用する手段は、前記事前ラスタ化したバンドのメモリ消費量が、前記表示リストのメモリ消費量未満であることに関してしきい値（１８０）に適合するかどうか検出する手段と、適合する場合、事前ラスタ化したバンドを保持する手段と、メモリから前記表示リストを解放するステップ（１３５）と、適合しない場合、前記表示リストを保持するステップ（１９５）と、メモリから前記事前ラスタ化したバンドを解放する手段（１３７）を含む、請求項７または請求項８に記載の結像装置。
【請求項１０】
前記事前ラスタ化したバンドに作用する手段が、前記事前ラスタ化したバンドの推定圧縮が、前記表示リストのメモリ消費量未満であることに関してメモリ節約しきい値（１８０）に適合するかどうか検出する手段と、適合する場合、前記事前ラスタ化したバンドを圧縮する手段（１８５）と、適合しない場合、前記表示リストを保持する手段（１９５）と、メモリから前記事前ラスタ化したバンドを解放する手段（１３７）を含む、請求項７〜９のうちのいずれか一項に記載の結像装置。
【請求項１１】
前記事前ラスタ化したバンドに作用する手段は、圧縮したバンドを形成するために前記事前ラスタ化したバンドを圧縮する手段（１８５）と、前記圧縮したバンドが、前記表示リストのメモリ消費量未満であることに関してメモリ節約しきい値（１９０）に適合するかどうか検出する手段と、適合する場合、前記圧縮したバンドを保持する手段と、メモリから前記表示リストを解放する手段（１３５）と、適合しない場合、前記表示リストを保持する手段（１９５） と、メモリから前記圧縮したバンドを解放する手段（１３７）を含む、請求項７〜１０のうちのいずれか一項に記載の結像装置。
【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
複数の命令を並列に実行できるＶＬＩＷプロセッサにおいて、
並列に実行できる前記複数の命令が、プリフェッチされた命令とプリフェッチされていない命令とを含むとき、前記プリフェッチされた命令のみを実行することを特徴とするＶＬＩＷプロセッサ。
【請求項２】
前記複数の命令は固定長命令であることを特徴とする請求項１記載のＶＬＩＷプロセッサ。
【請求項３】
並列に実行できる命令の総ビット数よりも小さい単位で命令フェッチを行い命令レジスタに格納する命令供給発行部と、
前記命令レジスタのうちいずれのレジスタに命令が格納されたかを示す位置情報と、
前記位置情報に基づいて、命令が格納されていない命令レジスタに対応する解読結果としてＮＯＰを出力し、命令が格納されている命令レジスタに対応する解読結果は
そのまま出力するＮＯＰ生成部とを有することを特徴とする請求項２記載のＶＬＩＷプロセッサ。
【請求項４】
前記複数の命令は可変長命令であることを特徴とする請求項１記載のＶＬＩＷプロセッサ。
【請求項５】
並列に実行できる命令の総ビット数よりも小さい単位で命令フェッチを行い命令レジスタに格納する命令供給発行部と、
いずれの命令解読器に命令が供給されているかを判断する命令発行器と、
前記命令発行器に基づいて、命令が格納されていない命令レジスタに対応する解読結果としてＮＯＰを出力し、命令が格納されている命令レジスタに対応する解読結果はそのまま出力するＮＯＰ生成部とを有することを特徴とする請求項４記載のＶＬＩＷプロセッサ。
【請求項６】
請求項１〜５いずれか記載のＶＬＩＷプロセッサであって、一語が複数の単位命令からなるＶＬＩＷプロセッサのソースコードを格納するソースコード格納手段と、
前記ソースコード格納手段に格納された前記ソースコード中で一語内の単位命令を同時実行した場合と一語内の単位命令を逐次実行した場合で実行結果が異なる問題コードを検出する回避対象コード検出手段と、
前記回避対象コード検出手段により検出された問題コードを一語内の単位命令を同時実行した場合と一語内の単位命令を逐次実行した場合で実行結果が異ならないコードに置き換える逐次実行保証コード生成手段と、
前記逐次実行保証コード生成手段が生成した生成コードを格納する生成コード格納手段とを備えることを特徴とするプログラム生成装置。
【請求項７】
前記ソースコード格納手段に格納されたソースコード中の命令フェッチ境界を検出し命令フェッチ境界情報を出力する命令フェッチ境界検出手段とを備え、
前記回避対象コード検出手段は前記ソースコード格納手段に格納された前記ソースコードの中で一語内の単位命令を同時実行した場合と一語内の単位命令を命令フェッチ境界を単位に逐次実行した場合で実行結果が異なる問題コードを検出し、
逐次実行保証コード生成手段は一語内の単位命令を同時実行した場合と一語内の単位命令を命令フェッチ境界を単位に逐次実行した場合で実行結果が異ならないコードに置き換えることを特徴とする請求項６記載のプログラム生成装置。
【手続補正２】
【補正対象書類名】明細書
【補正対象項目名】０１２４
【補正方法】変更
【補正の内容】
【０１２４】
【発明の効果】
以上のように、本願発明によれば、命令供給が十分に行えない環境で使用されても供給されたものから実行する事により、性能劣化を抑制することができる。
【手続補正書】
【提出日】平成17年3月8日(2005.3.8)
【手続補正１】
【補正対象書類名】明細書
【補正対象項目名】請求項２
【補正方法】変更
【補正の内容】
【請求項２】
前記ビットデータＢ0 ，Ｂ1 ，．．，Ｂi ，．．，Ｂn-2 ，Ｂn-1 を反転したビットデータＢ0 ￣，Ｂ1 ￣，．．，Ｂi ￣，．．，Ｂn-2 ￣，Ｂn-1 ￣を求める反転値生成手段
をさらに有し、
前記加算手段は、
ｎ＋１，．．，（ｎ＋ｉ），．．，（２ｎ−１）ビット目に、前記反転値生成手段で求めた前記ビットデータＢ1 ￣，．．，Ｂi ￣，．．，Ｂn-1 ￣をそれぞれ加算し、
ｎビット目に、前記ビットデータＢ0 ￣と、論理値「１」とを加算する
請求項１に記載の演算処理装置。
【手続補正２】
【補正対象書類名】明細書
【補正対象項目名】請求項７
【補正方法】変更
【補正の内容】
【請求項７】
前記ビットデータＢ0 ，Ｂ1 ，．．，Ｂi ，．．，Ｂn-2 ，Ｂn-1 を反転したビットデータＢ0 ￣，Ｂ1 ￣，．．，Ｂi ￣，．．，Ｂn-2 ￣，Ｂn-1 ￣を求め、
ｎ＋１，．．，（ｎ＋ｉ），．．，（２ｎ−１）ビット目に、前記ビットデータＢ1 ￣，．．，Ｂi ￣，．．，Ｂn-1 ￣をそれぞれ加算し、
ｎビット目に、前記ビットデータＢ0 ￣と、論理値「１」とを加算する
請求項６に記載の演算処理方法。
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  スクリーン上に表示された部品の画像と共に寸法情報を表示するための方法にして、前記寸法情報は前記部品の特徴に関連し、前記方法は以下の工程を含む；
前記部品の前記表示された画像の現在画面を決定し、且つ、前記現在画面に基づいて前記スクリーン上で前記特徴のうちのどれが観察可能であるかを決定する工程；
前記部品の前記表示された画像と共に、前記スクリーン上で観察可能であると決定された前記部品の各特徴のみについての寸法情報を前記スクリーン上に選択的に表示する工程。
【請求項２】  請求項１による方法にして、それは更に、前記部品に関連する曲げモデルデータへアクセスし、前記曲げモデルデータに基づいて、前記部品の前記特徴のそれぞれについての寸法情報を表示するための前記画面上の全ての可能な位置を決定する。
【請求項３】  請求項２による方法にして、前記選択的に表示する操作は、所定のヒューリスティックを適用し前記全ての可能な位置に基づいて前記可視の特徴の寸法情報を表示するための場所を決定する操作を含む。
【請求項４】  請求項１による方法にして、前記選択的表示操作は、前記部品の所定の特徴のみの寸法情報を表示する自動寸法付け操作を含み前記寸法情報は可視であると判断された前記所定の特徴についてのみ表示される。
【請求項５】  請求項４による方法にして、前記所定の特徴の寸法情報は、前記部品の各曲げ線についての曲げ線長さ及び曲げ角度、及び前記部品の各フランジ部のフランジ長さを備える。
【請求項６】  請求項１による方法にして、前記部品の表示された画像は３次元座標空間における前記部品の表現を備える。
【請求項７】  スクリーン上に表示された部品の画像と共に寸法情報を表示するためのシステムにして、前記寸法情報は前記部品の特徴に関連し前記システムは以下を含む；
前記部品の前記表示された画像の現在姿（ビュー）を決定し且つ前記現在姿（ビュー）に基づいて前記スクリーン上で前記特徴のうちのいずれが可視であるかを決定するシステム；
前記部品の前記表示された画像と共に前記スクリーン上に前記スクリーン上で観察可能であると決定された前記部品の前記特徴のみについての寸法情報を選択的に表示するシステム。
【請求項８】  請求項７によるシステムにして、それは更に、前記部品に関連する曲げモデルデータへアクセスするためのアクセスシステムと、前記曲げモデルデータに基づいて、前記部品の前記特徴のそれぞれについての寸法情報を表示するためのスクリーン上の全ての可能な位置を決定するシステムとを含み、前記選択的表示装置は、所定のヒューリスティックを適用し、前記可能な位置に基づいて、前記観察可能な特徴の寸法情報を表示する場所を決定する方法を有する。
【請求項９】  請求項７によるシステムにして、前記選択的表示システムは、自動寸法付け操作を行ない、前記部品の所定の特徴の寸法情報のみ表示し従って前記所定の特徴の前記寸法情報は観察可能であると判断された所定の特徴についてのみ表示される。
【請求項１０】  請求項７によるシステムにして、前記選択的表示システムは、前記部品の特徴に関連するユーザにより選択された寸法情報を表示するための手動寸法付け操作を次のように行なう。即ち、前記ユーザにより選択された寸法情報の各々は観察可能であると決定された前記部品の前記特徴についてのみ表示される。
【請求項１１】  スクリーン上に表示された部品の画像と共に当該部品の特徴に関連した寸法情報を表示するためのプログラムを記憶した記憶媒体（メモリ）にして、
前記プログラムはコンピュータに、
前記部品の前記表示された画像の現在画面を決定し、且つ、前記現在画面に基づいて前記スクリーン上で前記特徴のうちのどれが観察可能であるかを決定する工程；及び
前記部品の前記表示された画像と共に、前記スクリーン上で観察可能であると決定された前記部品の各特徴のみについての寸法情報を前記スクリーン上に選択的に表示する工程；
を実行させることを特徴とするプログラムを記憶した記憶媒体（メモリ）。
【請求項１２】  スクリーン上に表示された部品の画像と共に当該部品の特徴に関連した寸法情報を表示するためのプログラムを記憶した記憶媒体（メモリ）にして、
前記プログラムはコンピュータを、
前記部品の前記表示された画像の現在姿（ビュー）を決定し且つ前記現在姿（ビュー）に基づいて前記スクリーン上で前記特徴のうちのいずれが可視であるかを決定するシステム；及び
前記部品の前記表示された画像と共に前記スクリーン上に前記スクリーン上で観察可能であると決定された前記部品の前記特徴のみについての寸法情報を選択的に表示するシステム；
として機能させることを特徴とするプログラムを記憶した記憶媒体（メモリ）。
【手続補正書】
【提出日】平成17年6月30日(2005.6.30)
【手続補正１】
【補正対象書類名】明細書
【補正対象項目名】発明の名称
【補正方法】変更
【補正の内容】
【発明の名称】微細形状部品及びその製造方法並びに微細形状部品を用いたインクジェットヘッド
【手続補正２】
【補正対象書類名】明細書
【補正対象項目名】特許請求の範囲
【補正方法】変更
【補正の内容】
【特許請求の範囲】
【請求項１】
透明基板と、該透明基板の表面に所望の形状にパターン化されて形成された不透明膜と、該不透明膜または前記透明基板の表面のうちいずれか一方に前記パターン化された形状に対応して形成される壁とを有し、該壁が前記透明基板の平面に垂直な面に対して所定の角度で傾斜した微細な傾斜壁であることを特徴とする微細形状部品。
【請求項２】
前記傾斜壁が感光性材料で形成されていることを特徴とする請求項１に記載の微細形状部品。
【請求項３】
複数の傾斜壁を有し、該複数の傾斜壁が互いに所定の微細間隔で配置されていることを特徴とする請求項１または請求項２に記載の微細形状部品。
【請求項４】
インクを溜めておくマニホールドと、インクの加圧を行う液室と、該液室の端部に設けるノズル板とからなるインクジェツトヘッドにおいて、前記マニホールド内に請求項１から３のいずれかに記載の微細形状部品を有し、該微細形状部品は、その傾斜壁が前記液室側に傾斜するように配置されていることを特徴とするインクジェツトヘッド。
【請求項５】
基台上に所定の角度で傾斜した微細な壁が形成された微細形状部品の製造方法であって、
透明基板上に不透明膜を所望の形状でパターン化し、前記透明基板の前記不透明膜の形成された一方の面上に感光性材料を塗被する工程と、
前記透明基板の前記不透明膜の形成されていない他方の面側から、且つ前記透明基板の平面に垂直な面に対して所定の傾斜角度で光を照射し前記感光性材料を露光する工程と、
露光された前記感光性材料を現像しパターン化する工程とを有することを特徴とする微細形状部品の製造方法。
【手続補正３】
【補正対象書類名】明細書
【補正対象項目名】０００１
【補正方法】変更
【補正の内容】
【０００１】
【発明の属する技術分野】
本発明は小型機器、精密機器などに用いられる微細形状を有した微細形状部品及びその製造方法並びに微細形状部品を用いたインクジェットヘッドに関する。
【手続補正４】
【補正対象書類名】明細書
【補正対象項目名】０００５
【補正方法】変更
【補正の内容】
【０００５】
本発明は、高精度で微細な傾斜壁を有する微細形状部品を提供し、且つ加工時間が短く生産性の高い微細形状部品の製造方法を提供すると共に微細形状部品を用いたインクジェットヘッドを提供することを目的とする。
【手続補正５】
【補正対象書類名】明細書
【補正対象項目名】０００６
【補正方法】変更
【補正の内容】
【０００６】
【課題を解決するための手段】
上記課題を解決するために本発明の微細形状部品は透明基板と、該透明基板の表面に所望の形状にパターン化されて形成された不透明膜と、該不透明膜または透明基板の表面のうちいずれか一方にパターン化された形状に対応して形成される壁とを有し、該壁が透明基板の平面に垂直な面に対して所定の角度で傾斜した微細な傾斜壁であることを特徴とする。また、傾斜壁が感光性材料で形成されていることを特徴とする。また、複数の傾斜壁を有し、該複数の傾斜壁が互いに所定の微細間隔で配置されていることを特徴とする。
また、本発明のインクジェットヘッドはインクを溜めておくマニホールドと、インクの加圧を行う液室と、該液室の端部に設けるノズル板とからなるインクジェツトヘッドにおいて、前記マニホールド内に本発明の微細形状部品を有し、該微細形状部品は、その傾斜壁が前記液室側に傾斜するように配置されていることを特徴とする。
また、本発明の微細形状部品の製造方法は、基台上に所定の角度で傾斜した微細な壁が形成された微細形状部品の製造方法であって、透明基板上に不透明膜を所望の形状でパターン化し、前記透明基板の前記不透明膜の形成された一方の面上に感光性材料を塗被する工程と、前記透明基板の前記不透明膜の形成されていない他方の面側から、且つ前記透明基板の平面に垂直な面に対して所定の傾斜角度で光を照射し前記感光性材料を露光する工程と、露光された前記感光性材料を現像しパターン化する工程とを有することを特徴とする。
【手続補正書】
【提出日】平成17年3月15日(2005.3.15)
【手続補正１】
【補正対象書類名】明細書
【補正対象項目名】発明の名称
【補正方法】変更
【補正の内容】
【発明の名称】ビデオ装置及びビデオ処理方法
【手続補正２】
【補正対象書類名】明細書
【補正対象項目名】特許請求の範囲
【補正方法】変更
【補正の内容】
【特許請求の範囲】
【請求項１】
映像音声信号の入出力回路を有し、映像音声信号の記録再生を行うビデオ装置において、
このビデオ装置のマスター機能またはスレーブ機能を選択する機能選択スイッチと、
ハンドシェイク制御信号の入出力を行うハンドシェイク信号入出力回路と、
同期ダビングを行わせる同期ダビング開始スイッチと
を具備することを特徴とするビデオ装置。
【請求項２】
前記機能選択スイッチでマスター機能が選択された１台の第１のビデオ装置と、１または複数台の前記機能選択スイッチでスレーブ機能が選択された第２のビデオ装置の前記映像音声信号入出力回路と前記ハンドシェイク信号入出力回路を相互に接続し、前記第１のビデオ装置の前記同期ダビング開始スイッチを投入することにより、前記第１のビデオ装置からのハンドシェイク制御信号により前記第１のビデオ装置が再生する映像音声信号の前記第２のビデオ装置での同期ダビングの制御が実施されることを特徴とする請求項１に記載のビデオ装置。
【請求項３】
映像音声信号の入出力処理を行い、映像音声信号の記録再生を行うビデオ処理方法において、
マスター機能またはスレーブ機能を選択する機能選択処理と、
ハンドシェイク制御信号の入出力を行うハンドシェイク信号入出力処理と、
同期ダビングを行わせる同期ダビング開始処理と
を具備することを特徴とするビデオ処理方法。
【手続補正３】
【補正対象書類名】明細書
【補正対象項目名】０００１
【補正方法】変更
【補正の内容】
【０００１】
【発明の属する技術分野】
本発明は、ビデオ装置及びビデオ処理方法に関し、特に相互間で同期ダビング制御が行えるビデオ装置及びビデオ処理方法に関する。
【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】  誤り訂正符号化された再生対象データに、識別情報を重畳して得られるオリジナルデータが記録されたことを特徴とする記録媒体。
【請求項２】  前記識別情報は複数の部分識別情報からなり、この部分識別情報を前記誤り訂正符号化された再生対象データの複数か所に別けて重畳することを特徴とする請求項１記載の記録媒体。
【請求項３】  前記識別情報は、記録領域中におけるコンテンツデータの制御情報の記録された領域に格納されるデータ部分に重畳されることを特徴とした請求項１又は２記載の記録媒体。
【請求項４】  前記識別情報の重畳位置を取得するための情報が記録されたことを特徴とする請求項１乃至３のうちいずれか１項記載の記録媒体。
【請求項５】  前記識別情報が複数の部分識別情報からなる場合に、前記識別情報の重畳位置を取得するための情報は、初期値情報、前記部分識別情報の重畳位置を示す各重畳位置情報及び当該重畳位置情報の位置を取得するための各位置情報からなり、この重畳位置情報の位置を取得するための最初の位置情報は、前記初期値情報を所定の関数で変換した結果の位置、あるいは変換した結果の位置に指し示される位置に記録され、二番目以降の前記位置情報は、前記所定の関数の変換結果により得られたいずれかの位置のうち前記位置情報が格納されない側の一方の位置に格納された情報を、さらに前記所定の関数で変換したときの結果の位置の格納情報、あるいは変換した結果の位置に指し示される位置の格納情報を順次変換することで得られる位置の他方の位置に記録されることを特徴とする請求項４記載の記録媒体。
【請求項６】  前記再生対象データは、誤り訂正符号化される前に前記識別情報を鍵としてスクランブル又は暗号がかけられていることを特徴とする請求項１乃至５のうちいずれか１項記載の記録媒体。
【請求項７】  誤り訂正符号化された再生対象データに、識別情報を重畳して得られるオリジナルデータを記録媒体に記載することを特徴とする記録媒体作成装置。
【請求項８】  請求項１乃至５に記載された記録媒体のいずれかから読み出したオリジナルデータが誤り訂正される前に、当該読出情報から識別情報を抽出する識別情報復号手段と、前記識別情報復号手段に抽出された識別情報に基づき前記記録媒体に格納されるデータがオリジナルデータか否か判定し、その判定結果を出力する判定手段と、を備えたことを特徴とするデータ再生装置。
【請求項９】  再生対象データを誤り符号化する誤り符号化手段と、前記誤り訂正符号化手段により誤り訂正符号化された再生対象データに、識別情報を重畳する識別情報重畳手段としてコンピュータを機能させるためのプログラムを記録したコンピュータ読み取り可能な記録媒体。
【手続補正２】
【補正対象書類名】明細書
【補正対象項目名】００１８
【補正方法】変更
【補正の内容】
【００１８】
本発明はこのような手段を設けたので、請求項１に係る発明の効果を奏する記録媒体を製造することができる。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
請求項８に対応する発明は、請求項１乃至５に記載された記録媒体のいずれかから読み出したオリジナルデータが誤り訂正される前に、当該読出情報から識別情報を抽出する識別情報復号手段と、識別情報復号手段に抽出された識別情報に基づき記録媒体に格納されるデータがオリジナルデータか否か判定し、その判定結果を出力する判定手段とを備えたデータ再生装置である。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】変更
【補正の内容】
【００２９】
次に、請求項９に対応する発明は、請求項７に記載された記録媒体作成装置をコンピュータに実現させるための制御プログラムを記録媒体に記録したものである。
【手続補正書】
【提出日】平成16年10月1日(2004.10.1)
【手続補正１】
【補正対象書類名】明細書
【補正対象項目名】発明の名称
【補正方法】変更
【補正の内容】
【発明の名称】光ディスク装置、および、光ディスク記録方法
【手続補正２】
【補正対象書類名】明細書
【補正対象項目名】特許請求の範囲
【補正方法】変更
【補正の内容】
【特許請求の範囲】
【請求項１】
レーザー光を照射するレーザーと集光用光学レンズとを具備し光ディスクに対し情報の記録または再生が可能な光ディスク装置であって、
光ディスクの判別動作を行なう手段と、
前記光ディスクの内周に形成されるＲＯＭ領域での制御情報の読み込み動作を行なう手段と、
前記ＲＯＭ領域の外側に形成されるＲＡＭ領域でのフオーカス調整動作を行なう手段と、
前記ＲＡＭ領域内周の再生信号の振幅調整動作を行なう手段と、
前記ＲＡＭ領域内周での試し書き動作を行なう手段と、
前記ＲＡＭ領域外周での試し書き動作を行なう手段と、
前記ＲＡＭ領域外周の再生信号の振幅調整動作を行なう手段とを順次動作させ、
再生・記録可能な状態とするように動作させることを特徴とする光ディスク装置。
【請求項２】
レーザー光を照射するレーザーと集光用光学レンズとを具備し光ディスクに対し情報の記録または再生が可能な光ディスク装置であって、
光ディスクの判別動作を行なう手段と、
前記光ディスクの内周に形成されるＲＯＭ領域での制御情報の読み込み動作を行なう手段と、
前記ＲＯＭ領域の外側に形成されるＲＡＭ領域でのフォーカスエラー信号に基づくフオーカス調整動作を行なう手段と、
ＲＡＭ領域でのフォーカスエラー信号の最適オフセット値を決定する動作を行なう手段と、
前記ＲＡＭ領域内周の再生信号の振幅調整動作を行なう手段と、
前記ＲＡＭ領域内周での試し書き動作を行なう手段と、
前記ＲＡＭ領域外周での試し書き動作を行なう手段と、
前記ＲＡＭ領域外周の再生信号の振幅調整動作を行なう手段とを順次動作させ、
再生・記録可能な状態とするように動作させることを特徴とする光ディスク装置。
【請求項３】
請求項１または２に記載の光ディスク装置において、
さらに、プリライト（味見書き）動作を行なう手段を具備しており、
前記光ディスクの判別動作を行なう手段と、前記ＲＡＭ領域内周での試し書き動作を行なう手段の動作の間に、プリライト（味見書き）動作を行なう手段の動作を行わせることを特徴とする光ディスク装置。
【請求項４】
ＲＯＭ領域とＲＡＭ領域を有する光ディスクに対する光ディスク記録方法であって、
光ディスクの判別動作、
前記光ディスクの内周に形成されるＲＯＭ領域での制御情報の読み込み動作、
前記ＲＯＭ領域の外側に形成されるＲＡＭ領域でのフオーカス調整動作、
前記ＲＡＭ領域内周の再生信号の振幅調整動作、
前記ＲＡＭ領域内周での試し書き動作、
前記ＲＡＭ領域外周での試し書き動作、
前記ＲＡＭ領域外周の再生信号の振幅調整動作を順次動作させ、
再生・記録可能な状態とするように動作させることを特徴とする光ディスク記録方法。
【請求項５】
ＲＯＭ領域とＲＡＭ領域を有する光ディスクに対する光ディスク記録方法であって、
光ディスクの判別動作、
前記光ディスクの内周に形成されるＲＯＭ領域での制御情報の読み込み動作、
前記ＲＯＭ領域の外側に形成されるＲＡＭ領域でのフォーカスエラー信号に基づくフオーカス調整動作、
ＲＡＭ領域でのフォーカスエラー信号の最適オフセット値を決定する動作、
前記ＲＡＭ領域内周の再生信号の振幅調整動作、
前記ＲＡＭ領域内周での試し書き動作、
前記ＲＡＭ領域外周での試し書き動作、
前記ＲＡＭ領域外周の再生信号の振幅調整動作を順次動作させ、
再生・記録可能な状態とするように動作させることを特徴とする光ディスク記録方法。
【請求項６】
請求項４または５に記載の光ディスク記録方法において、
前記光ディスクの判別動作と、前記ＲＡＭ領域内周での試し書き動作の間に、プリライト（味見書き）動作を行うことを特徴とする光ディスク記録方法。
【手続補正書】
【提出日】平成17年3月15日(2005.3.15)
【手続補正１】
【補正対象書類名】明細書
【補正対象項目名】発明の名称
【補正方法】変更
【補正の内容】
【発明の名称】ビデオ装置及びビデオ処理方法
【手続補正２】
【補正対象書類名】明細書
【補正対象項目名】特許請求の範囲
【補正方法】変更
【補正の内容】
【特許請求の範囲】
【請求項１】
赤外線空間伝送で操作信号を送って操作する遠隔操作手段からの操作信号を受光する赤外線受光手段を有し、映像音声信号の記録再生機能を有するビデオ装置において、
周辺装置に対する送信信号を送出する赤外線送信手段を具備し、前記赤外線受信手段でこの赤外線送信手段が送出した送信信号に対する前記周辺装置からの応答信号を受光することによって、前記周辺装置を制御し、前記周辺装置からの情報を受信する
ことを特徴とするビデオ装置。
【請求項２】
前記周辺装置はＡＶ装置であり、前記送信信号には前記ＡＶ装置の制御信号および／または前記ＡＶ装置で再生される映像音声信号を具備し、前記応答信号には前記ＡＶ装置からの映像音声信号を具備する
ことを特徴とする請求項１に記載のビデオ装置。
【請求項３】
前記周辺装置は他のビデオ装置であり、前記送信信号には前記他のビデオ装置の制御信号を具備し、前記応答信号は前記他のビデオ装置からの映像音声信号を具備する
ことを特徴とする請求項１に記載のビデオ装置。
【請求項４】
前記周辺装置の制御信号をその制御機能とともに記憶する学習記憶手段を具備する
ことを特徴とする請求項１に記載のビデオ装置。
【請求項５】
前記赤外線送信手段を先端に設けたケーブルを具備し、このケーブルを本体に着脱自在とした
ことを特徴とする請求項１に記載のビデオ装置。
【請求項６】
赤外線空間伝送で操作信号を送って操作する遠隔操作手段からの操作信号を受光し、映像音声信号の記録再生機能を実行するビデオ処理方法において、
周辺装置に対する送信信号を送出し、その送出した送信信号に対する前記周辺装置からの応答信号を受光することによって、前記周辺装置を制御し、前記周辺装置からの情報を受信することを特徴とするビデオ処理方法。
【手続補正３】
【補正対象書類名】明細書
【補正対象項目名】０００１
【補正方法】変更
【補正の内容】
【０００１】
【発明の属する技術分野】
本発明は、ビデオ装置及びビデオ処理方法に関し、特に赤外線を用いた空間通信機能を有するビデオ装置及びビデオ処理方法に関する。
【手続補正書】
【提出日】平成16年6月15日(2004.6.15)
【手続補正１】
【補正対象書類名】明細書
【補正対象項目名】発明の名称
【補正方法】変更
【補正の内容】
【発明の名称】情報記録再生装置、および、情報記録方法
【手続補正２】
【補正対象書類名】明細書
【補正対象項目名】特許請求の範囲
【補正方法】変更
【補正の内容】
【特許請求の範囲】
【請求項１】
記録領域が複数のゾーンからなり、各ゾーン毎でトラック１周あたりのセクタ数が異なる光情報記録媒体に対して複数のセクタ分の情報を１記録単位として情報を記録する情報記録再生装置において、
トラック１周あたりのセクタ数およびトラック１周分戻るために必要なセクタ数に基づいて各ゾーン毎にｖｅｒｉｆｙ制御を行う記録単位数を変化するように構成することを特徴とする情報記録再生装置。
【請求項２】
記録領域が複数のゾーンからなり、各ゾーン毎でトラック１周あたりのセクタ数が異なる光情報記録媒体に対して複数のセクタ分の情報を１記録単位として情報を記録する情報記録再生装置であって、
前記光情報記録媒体内の記録単位ごとに情報を記録する記録手段と、
ｖｅｒｉｆｙ制御を行なう制御手段と、を具備しており、
該制御手段は、トラック１周あたりのセクタ数およびトラック１周分戻るために必要なセクタ数に基づいて各ゾーン毎にｖｅｒｉｆｙ制御を行う記録単位数を変化するようｖｅｒｉｆｙ制御することを特徴とする情報記録再生装置。
【請求項３】
請求項１または２に記載の情報記録再生装置において、
前記各ゾーン毎のｖｅｒｉｆｙ制御を行なう記録単位は、各ゾーン毎に回転待ちセクタ数が最小となる数であることを特徴とする情報記録再生装置。
【請求項４】
記録領域が複数のゾーンからなり、各ゾーン毎でトラック１周あたりのセクタ数が異なる光情報記録媒体に対して複数のセクタ分の情報を１記録単位として情報を記録する情報記録方法であって、
前記光情報記録媒体内の記録単位ごとに情報を記録する情報記録ステップと、
該情報記録ステップの後、トラック１周あたりのセクタ数およびトラック１周分戻るために必要なセクタ数に基づいて各ゾーン毎にｖｅｒｉｆｙ制御を行う記録単位数を変化するようｖｅｒｉｆｙ制御するステップと、を含むことを特徴とする情報記録方法。
【請求項５】
請求項４に記載の情報記録方法において、
前記各ゾーン毎のｖｅｒｉｆｙ制御を行なう記録単位は、各ゾーン毎に回転待ちセクタ数が最小となる数であることを特徴とする情報記録方法。
【請求項６】
記録領域が複数のゾーンからなり、各ゾーン毎でトラック１周あたりのセクタ数が異なる光情報記録媒体に対して複数のセクタ分の情報を１記録単位として情報を記録する情報記録再生装置であって、
前記光情報記録媒体内の記録単位ごとに情報を記録する記録手段と、
ｖｅｒｉｆｙ制御を行なう制御手段と、を具備しており、
複数のゾーンに渡り情報を記録するときに、前記制御手段は、各々のゾーン毎にｖｅｒｉｆｙ制御を完結させることを特徴とする情報記録再生装置。
【請求項７】
記録領域が複数のゾーンからなり、各ゾーン毎でトラック１周あたりのセクタ数が異なる光情報記録媒体に対して複数のセクタ分の情報を１記録単位として情報を記録する情報記録再生装置であって、
前記光情報記録媒体内の記録単位ごとに情報を記録する記録手段と、
ｖｅｒｉｆｙ制御を行なう制御手段と、を具備しており、
情報を交替エリアに記録するときに、前記制御手段は、交替エリアへの記録前に記録済み情報のｖｅｒｉｆｙ制御を完結させることを特徴とする情報記録再生装置。